【手続補正書】
【提出日】平成24年9月19日(2012.9.19)
【手続補正１】
【補正対象書類名】明細書
【補正対象項目名】００１３
【補正方法】変更
【補正の内容】
【００１３】
また、テレビジョン放送の受信機能を有するノート型パーソナルコンピュータ（ＰＣ）等にあっても、テレビジョン受像機でテレビジョン放送を受信する場合と同様に、アンテナに関して携帯性が著しく損なわれるという不利益がある。
【手続補正２】
【補正対象書類名】明細書
【補正対象項目名】００２０
【補正方法】変更
【補正の内容】
【００２０】
本発明の第３の観点の電源ケーブルは、本体装置と外部装置との間で、電力を伝送する電力伝送用ケーブルと、前記電力伝送用ケーブルの一端側に配置され、前記電力伝送用ケーブルを前記本体装置に接続する本体装置側コネクタと、前記電力伝送用ケーブルの他端側に配置され、前記電力伝送用ケーブルを前記外部装置に接続する外部装置側コネクタと、を有し、前記電力伝送用ケーブルは、前記本体装置側コネクタの電源端子を介して本体装置に接続され、前記本体装置の電力を伝送する複数の伝送ケーブルを有し、前記複数の伝送ケーブルは、それぞれ対応する前記電源端子との間に、本体装置側の高周波遮断部が配置され、前記電力伝送用ケーブルは、前記本体装置側のコネクタから所定長さだけ前記外部装置側に、アンテナとして機能する部位の長さを制限する外部装置側の高周波遮断部が配置され、前記伝送用ケーブルの少なくとも１つが、前記本体装置側のコネクタを介して前記本体装置に内蔵のチューナーのアンテナ入力端に接続される。
【手続補正３】
【補正対象書類名】明細書
【補正対象項目名】００２６
【補正方法】変更
【補正の内容】
【００２６】
本発明の第９の観点の電源装置は、本体装置の電力を生成する電源部と、前記電源部の電力を前記本体装置に伝送する複数の伝送ケーブルを含む電力伝送用ケーブルと、を有し、前記電力伝送用ケーブルに含まれる複数のケーブルの少なくとも１つは、途中の中継部で、第１の部位と、第２の部位とに高周波的に分離され、前記第１の部位の前記中継部側とは逆側、および前記第２の部位の前記中継部側とは逆側が高周波的に他の部位と絶縁され、前記第１の部位の前記中継部側、および前記第２の前記中継部側の少なくとも１つが、同軸ケーブルまたは平行線ケーブルを介して前記本部位装置のチューナーに接続される。
【手続補正４】
【補正対象書類名】明細書
【補正対象項目名】００３２
【補正方法】削除
【補正の内容】
【手続補正５】
【補正対象書類名】明細書
【補正対象項目名】００３４
【補正方法】変更
【補正の内容】
【００３４】
【図１】図１は、本発明の第１の実施形態に係る受信システムを示す図である。
【図２】図２は、図１の電源装置を充電台を介して携帯電話に接続する場合を示す図である。
【図３】図３は、本第１の実施形態に係る受信システムの要部の構成および接続関係を詳細に示す図である。
【図４】図４は、本実施形態に係る電力伝送用ケーブルの構造例示す簡略断面図である。
【図５】図５は、図３の電源装置を詳細に示す図である。
【図６】図６は、アンテナの説明に供する図である。
【図７】図７は、アンテナとして機能する伝送ケーブルＬＧにＬＣ共振回路を設けた場合を例とする受信システム要部の構成および接続関係を示す図である。
【図８】図８（Ａ）〜図８（Ｃ）は、図７の受信システムにおいて、延長コードを接続していない場合のＶＨＦ帯域のアンテナ特性を示す図である。図８（Ａ）が図７の受信システムのＶＨＦ帯域のアンテナ利得特性を示す図である。図８（Ｂ）が図８（Ａ）の特性図における垂直偏波の特性を示す図である。図８（Ｃ）が図８（Ａ）の特性図における水平偏波の特性を示す図である。
【図９】図９（Ａ）〜図９（Ｃ）は、図７の受信システムにおいて、延長コードを接続した場合のＶＨＦ帯域のアンテナ特性を示す図である。図９（Ａ）が図７の受信システムのＶＨＦ帯域のアンテナ利得特性を示す図である。図９（Ｂ）が図９（Ａ）の特性図における垂直偏波の特性を示す図である。図９（Ｃ）が図９（Ａ）の特性図における水平偏波の特性を示す図である。
【図１０】図１０は、電源ケーブルに沿ってアンテナのケーブルを配置した場合を例とする受信システムを示す図である。
【図１１】図１１（Ａ）〜図１１（Ｃ）は、図３の受信システムにおいて、延長コードを接続していない場合のＶＨＦ帯域のアンテナ特性を示す図である。図１１（Ａ）が図３の受信システムのＶＨＦ帯域のアンテナ利得特性を示す図である。図１１（Ｂ）が図１１（Ａ）の特性図における垂直偏波の特性を示す図である。図１１（Ｃ）が図１１（Ａ）の特性図における水平偏波の特性を示す図である。
【図１２】図１２（Ａ）〜図１２（Ｃ）は、図３の受信システムにおいて、延長コードを接続した場合のＶＨＦ帯域のアンテナ特性を示す図である。図１２（Ａ）が図３の受信システムのＶＨＦ帯域のアンテナ利得特性を示す図である。図１２（Ｂ）が図１２（Ａ）の特性図における垂直偏波の特性を示す図である。図１２（Ｃ）が図１２（Ａ）の特性図における水平偏波の特性を示す図である。
【図１３】図１３（Ａ）〜図１３（Ｃ）は、図３の受信システムにおいて、延長コードを接続していない場合のＵＨＦ帯域のアンテナ特性を示す図である。図１３（Ａ）が図３の受信システムのＵＨＦ帯域のアンテナ利得特性を示す図である。図１３（Ｂ）が図１３（Ａ）の特性図における垂直偏波の特性を示す図である。図１３（Ｃ）が図１３（Ａ）の特性図における水平偏波の特性を示す図である。
【図１４】図１４（Ａ）〜図１４（Ｃ）は、図３の受信システムにおいて、延長コードを接続した場合のＵＨＦ帯域のアンテナ特性を示す図である。図１４（Ａ）が図３の受信システムのＵＨＦ帯域のアンテナ利得特性を示す図である。図１４（Ｂ）が図１４（Ａ）の特性図における垂直偏波の特性を示す図である。図１４（Ｃ）が図１４（Ａ）の特性図における水平偏波の特性を示す図である。
【図１５】図１５（Ａ）〜図１５（Ｃ）は、本体装置側のインダクタを設けることなく、電源部側のインダクタのみ設けた受信システムにおいて、延長コードを接続していない場合のＶＨＦ帯域のアンテナ特性を示す図である。図１５（Ａ）が電源部側のインダクタのみ設けた受信システムのＶＨＦ帯域のアンテナ利得特性を示す図である。図１５（Ｂ）が図１５（Ａ）の特性図における垂直偏波の特性を示す図である。図１５（Ｃ）が図１５（Ａ）の特性図における水平偏波の特性を示す図である。
【図１６】図１６（Ａ）〜図１６（Ｃ）は、本体装置側のインダクタを設けることなく、電源部側のインダクタのみ設けた受信システムにおいて、延長コードを接続した場合のＶＨＦ帯域のアンテナ特性を示す図である。図１６（Ａ）が電源部側のインダクタのみ設けた受信システムのＶＨＦ帯域のアンテナ利得特性を示す図である。図１６（Ｂ）が図１６（Ａ）の特性図における垂直偏波の特性を示す図である。図１６（Ｃ）が図１６（Ａ）の特性図における水平偏波の特性を示す図である。
【図１７】本体装置側のインダクタを設けることなく、電源部側のインダクタのみ設けた場合を例とする受信システムの要部の構成および接続関係を示す図である。
【図１８】図１８（Ａ）〜図１８（Ｃ）は、図１７の受信システムにおいて、延長コードを接続していない場合のＵＨＦ帯域のアンテナ特性を示す図である。図１８（Ａ）が図１７の受信システムのＵＨＦ帯域のアンテナ利得特性を示す図である。図１８（Ｂ）が図１８（Ａ）の特性図における垂直偏波の特性を示す図である。図１８（Ｃ）が図１８（Ａ）の特性図における水平偏波の特性を示す図である。
【図１９】図１９（Ａ）〜図１９（Ｃ）は、図１７の受信システムにおいて、延長コードを接続した場合のＵＨＦ帯域のアンテナ特性を示す図である。図１９（Ａ）が図１７の受信システムのＵＨＦ帯域のアンテナ利得特性を示す図である。図１９（Ｂ）が図１９（Ａ）の特性図における垂直偏波の特性を示す図である。図１９（Ｃ）が図１９（Ａ）の特性図における水平偏波の特性を示す図である。
【図２０】図２０（Ａ）〜図２０（Ｃ）は、電力伝送用ケーブルの両端にインダクタを設けていない受信システムにおいて、延長コードを接続した場合のＶＨＦ帯域のアンテナ特性を示す図である。図２０（Ａ）が電力伝送用ケーブルの両端にインダクタを設けていない受信システムのＶＨＦ帯域のアンテナ利得特性を示す図である。図２０（Ｂ）が図２０（Ａ）の特性図における垂直偏波の特性を示す図である。図２０（Ｃ）が図２０（Ａ）の特性図における水平偏波の特性を示す図である。
【図２１】図２１（Ａ）〜図２１（Ｃ）は、図２０（Ａ）〜図２０（Ｃ）との対比により図３の受信システムにおけるＶＨＦ帯域のアンテナ特性を示す図である。図２１（Ａ）が図３の受信システムのＶＨＦ帯域のアンテナ利得特性を示す図である。図２１（Ｂ）が図２１（Ａ）の特性図における垂直偏波の特性を示す図である。図２１（Ｃ）が図２１（Ａ）の特性図における水平偏波の特性を示す図である。
【図２２】図２２（Ａ）〜図２２（Ｃ）は、電力伝送用ケーブルの両端にインダクタを設けていない受信システムにおいて、延長コードを接続した場合のＵＨＦ帯域のアンテナ特性を示す図である。図２２（Ａ）が電力伝送用ケーブルの両端にインダクタを設けていない受信システムのＵＨＦ帯域のアンテナ利得特性を示す図である。図２２（Ｂ）が図２２（Ａ）の特性図における垂直偏波の特性を示す図である。図２２（Ｃ）が図２２（Ａ）の特性図における水平偏波の特性を示す図である。
【図２３】図２３（Ａ）〜図２３（Ｃ）は、図２２（Ａ）〜図２２（Ｃ）との対比により図３の受信システムにおけるＵＨＦ帯域のアンテナ特性を示す図である。図２３（Ａ）が図３の受信システムのＵＨＦ帯域のアンテナ利得特性を示す図である。図２３（Ｂ）が図２３（Ａ）の特性図における垂直偏波の特性を示す図である。図２３（Ｃ）が図２３（Ａ）の特性図における水平偏波の特性を示す図である。
【図２４】図２４は、本第２の実施形態に係る受信システムの要部の構成および接続関係を詳細に示す図である。
【図２５】図２５は、本第２の実施形態に係る電力伝送用ケーブルの構造例示す簡略断面図である。
【図２６】図２６は、図２４の電源装置を詳細に示す図である。
【図２７】図２７（Ａ）〜図２７（Ｃ）は、図２４の受信システムにおいて、延長コードを接続していない場合のＶＨＦ帯域のアンテナ特性を示す図である。図２７（Ａ）が図２４の受信システムのＶＨＦ帯域のアンテナ利得特性を示す図である。図２７（Ｂ）が図２７（Ａ）の特性図における垂直偏波の特性を示す図である。図２７（Ｃ）が図２７（Ａ）の特性図における水平偏波の特性を示す図である。
【図２８】図２８（Ａ）〜図２８（Ｃ）は、図２４の受信システムにおいて、延長コードを接続した場合のＶＨＦ帯域のアンテナ特性を示す図である。図２８（Ａ）が図２４の受信システムのＶＨＦ帯域のアンテナ利得特性を示す図である。図２８（Ｂ）が図２８（Ａ）の特性図における垂直偏波の特性を示す図である。図２８（Ｃ）が図２８（Ａ）の特性図における水平偏波の特性を示す図である。
【図２９】図２９（Ａ）〜図２９（Ｃ）は、図２４の受信システムにおいて、延長コードを接続していない場合のＵＨＦ帯域のアンテナ特性を示す図である。図２９（Ａ）が図２４の受信システムのＵＨＦ帯域のアンテナ利得特性を示す図である。図２９（Ｂ）が図２９（Ａ）の特性図における垂直偏波の特性を示す図である。図２９（Ｃ）が図２９（Ａ）の特性図における水平偏波の特性を示す図である。
【図３０】図３０（Ａ）〜図３０（Ｃ）は、図２４の受信システムにおいて、延長コードを接続した場合のＵＨＦ帯域のアンテナ特性を示す図である。図３０（Ａ）が図２４の受信システムのＵＨＦ帯域のアンテナ利得特性を示す図である。図３０（Ｂ）が図３０（Ａ）の特性図における垂直偏波の特性を示す図である。図３０（Ｃ）が図３０（Ａ）の特性図における水平偏波の特性を示す図である。
【図３１】図３１（Ａ）〜図３１（Ｃ）は、図２４の受信システムにおいて、電源装置のケーブルを垂直に垂らした状態で延長コードを接続した場合のＶＨＦ帯域のアンテナ特性を示す図である。図３１（Ａ）が図２４の受信システムのＶＨＦ帯域のアンテナ利得特性を示す図である。図３１（Ｂ）が図３１（Ａ）の特性図における垂直偏波の特性を示す図である。図３１（Ｃ）が図３１（Ａ）の特性図における水平偏波の特性を示す図である。
【図３２】図３２（Ａ）〜図３２（Ｃ）は、図２４の受信システムにおいて、電源装置のケーブルを束ねた状態で延長コードを接続した場合のＶＨＦ帯域のアンテナ特性を示す図である。図３２（Ａ）が図２４の受信システムのＶＨＦ帯域のアンテナ利得特性を示す図である。図３２（Ｂ）が図３２（Ａ）の特性図における垂直偏波の特性を示す図である。図３２（Ｃ）が図３２（Ａ）の特性図における水平偏波の特性を示す図である。
【図３３】図３３（Ａ）〜図３３（Ｃ）は、図２４の受信システムにおいて、電源装置のケーブルを垂直に垂らした状態で延長コードを接続した場合のＵＨＦ帯域のアンテナ特性を示す図である。図３３（Ａ）が図２４の受信システムのＵＨＦ帯域のアンテナ利得特性を示す図である。図３３（Ｂ）が図３３（Ａ）の特性図における垂直偏波の特性を示す図である。図３３（Ｃ）が図３３（Ａ）の特性図における水平偏波の特性を示す図である。
【図３４】図３４（Ａ）〜図３４（Ｃ）は、図２４の受信システムにおいて、電源装置のケーブルを束ねた状態で延長コードを接続した場合のＵＨＦ帯域のアンテナ特性を示す図である。図３４（Ａ）が図２４の受信システムのＵＨＦ帯域のアンテナ利得特性を示す図である。図３４（Ｂ）が図３４（Ａ）の特性図における垂直偏波の特性を示す図である。図３４（Ｃ）が図３４（Ａ）の特性図における水平偏波の特性を示す図である。
【図３５】図３５は、本発明の第３の実施形態に係る受信システムの要部の構成および接続関係を詳細に示す図である。
【図３６】図３６は、本発明の第４の実施形態に係る受信システムの要部の構成および接続関係を詳細に示す図である。
【図３７】図３７は、本発明の第５の実施形態に係る受信システムの要部の構成および接続関係を詳細に示す図である。
【図３８】図３８は、図３７のフェライトコアの配置の説明に供する図である。
【図３９】図３９（Ａ）〜図３９（Ｃ）は、図３７の受信システムにおいて、延長コードを接続していない場合のＶＨＦ帯域のアンテナ特性を示す図である。図３９（Ａ）が図３７の受信システムのＶＨＦ帯域のアンテナ利得特性を示す図である。図３９（Ｂ）が図３９（Ａ）の特性図における垂直偏波の特性を示す図である。図３９（Ｃ）が図３９（Ａ）の特性図における水平偏波の特性を示す図である。
【図４０】図４０（Ａ）〜図４０（Ｃ）は、図３７の受信システムにおいて、延長コードを接続した場合のＶＨＦ帯域のアンテナ特性を示す図である。図４０（Ａ）が図３７の受信システムのＶＨＦ帯域のアンテナ利得特性を示す図である。図４０（Ｂ）が図４０（Ａ）の特性図における垂直偏波の特性を示す図である。図４０（Ｃ）が図４０（Ａ）の特性図における水平偏波の特性を示す図である。
【図４１】図４１（Ａ）〜図４１（Ｃ）は、図３７の受信システムにおいて図３９の例とケーブル長が異なる場合で、延長コードを接続していない場合のＶＨＦ帯域のアンテナ特性を示す図である。図４１（Ａ）が図３７の受信システムのＶＨＦ帯域のアンテナ利得特性を示す図である。図４１（Ｂ）が図４１（Ａ）の特性図における垂直偏波の特性を示す図である。図４１（Ｃ）が図４１（Ａ）の特性図における水平偏波の特性を示す図である。
【図４２】図４２（Ａ）〜図４２（Ｃ）は、図３７の受信システムにおいて図４０の例とケーブル長が異なる場合で、延長コードを接続した場合のＶＨＦ帯域のアンテナ特性を示す図である。図４２（Ａ）が図３７の受信システムのＶＨＦ帯域のアンテナ利得特性を示す図である。図４２（Ｂ）が図４２（Ａ）の特性図における垂直偏波の特性を示す図である。図４２（Ｃ）が図４２（Ａ）の特性図における水平偏波の特性を示す図である。
【図４３】図４３は、本発明の第６の実施形態に係る受信システムの要部の構成および接続関係を詳細に示す図である。
【図４４】図４４は、図２４との対比により、本発明の第９の実施形態に係る受信システムの要部の構成および接続関係を詳細に示す図である。
【図４５】図４５は、図３６との対比により本発明の第９の実施形態に係る受信システムの要部の構成および接続関係を詳細に示す図である。
【図４６】図４６は、一般的なテレビジョン受像機を背面側から見て示す図である。
【図４７】図４７は、本発明の第１０の実施形態に係る電子機器としてのテレビジョン受像機および電源装置を含む受信装置を背面側から見て示す図である。
【図４８】図４８は、本第１０の実施形態に係るテレビジョン受像機および電源ケーブルの要部の構成および接続関係を詳細に示す図である。
【図４９】図４９は、図４８の電力伝送用ケーブルの構造例示す簡略断面図である。
【図５０】図５０は、本第１０の実施形態に係る中継部３１３（分岐部）の構成例を示す図である。
【図５１】図５１は、アンテナとして機能する部位の長さについて説明するための図である。
【図５２】図５２（Ａ）〜（Ｃ）は、電源ケーブルの途中にＬＣ共振回路を設けて高周波的に電源コードの電気長を制限し、この電気長を制限した部位で放送波を受信する構成のアンテナ特性を示す図である。図５２（Ａ）がＵＨＦ帯域のアンテナ利得特性を示す図である。図５２（Ｂ）が図５２（Ａ）の特性図における垂直偏波の特性を示す図である。図５２（Ｃ）が図５２（Ａ）の特性図における水平偏波の特性を示す図である。
【図５３】図５３（Ａ）〜（Ｃ）は、第１０の実施形態に係る電源ケーブルにおけるアンテナ特性を示す図である。図５３（Ａ）がＵＨＦ帯域のアンテナ利得特性を示す図である。図５３（Ｂ）が図５３（Ａ）の特性図における垂直偏波の特性を示す図である。図５３（Ｃ）が図５３（Ａ）の特性図における水平偏波の特性を示す図である。
【図５４】図５４は、本発明の第１１の実施形態に係るテレビジョン受像機および電源ケーブルの要部の構成および接続関係を詳細に示す図である。
【図５５】図５５は、本発明の第１２の実施形態に係るテレビジョン受像機および電源ケーブルの要部の構成および接続関係を詳細に示す図である。
【図５６】図５６は、本発明の第１３の実施形態に係るテレビジョン受像機および電源ケーブルの要部の構成および接続関係を詳細に示す図である。
【図５７】図５７は、本発明の第１４の実施形態に係るテレビジョン受像機および電源ケーブルの要部の構成および接続関係を詳細に示す図である。
【図５８】図５８は、本発明の第１５の実施形態に係るテレビジョン受像機および電源ケーブルの要部の構成および接続関係を詳細に示す図である。
【図５９】図５９は、第１５の実施形態に係る図５８の電力伝送用ケーブルの構造例示す簡略断面図である。
【図６０】図６０は、第１０〜第１７の実施形態において、ダイポールアンテナとして機能するように電源ケーブルを構成し、この電源ケーブルで放送波を受信するシステムのアンテナ特性について説明するための図である。
【図６１】図６１は、本発明の第１８の実施形態に係る電子機器としてのテレビジョン受像機および電源ケーブルを含む受信装置を背面側から見て示す図である。
【図６２】図６２は、本第１８の実施形態に係るテレビジョン受像機および電源ケーブルの要部の構成および接続関係を詳細に示す図である。
【図６３】図６３は、本第１８の実施形態に係る基板部の実装構造例を示す図である。
【図６４】図６４は、第１８の実施形態に係るアンテナとしての原理を説明するための第１図である。
【図６５】図６５は、第１８の実施形態に係るアンテナとしての原理を説明するための第２図である。
【図６６】図６６（Ａ）〜（Ｃ）は、基板部を有していない場合の電源ケーブルを真っ直ぐのばした状態（理想状態）のＵＨＦ帯域のアンテナ特性を示す図である。図６６（Ａ）がＵＨＦ帯域のアンテナ利得特性を示す図である。図６６（Ｂ）が図６６（Ａ）の特性図における垂直偏波の特性を示す図である。図６６（Ｃ）が図６６（Ａ）の特性図における水平偏波の特性を示す図である。
【図６７】図６７（Ａ）〜（Ｃ）は、基板部を有していない場合の電源ケーブルを半分折り畳んだ状態のＵＨＦ帯域のアンテナ特性を示す図である。図６７（Ａ）がＵＨＦ帯域のアンテナ利得特性を示す図である。図６７（Ｂ）が図６７（Ａ）の特性図における垂直偏波の特性を示す図である。図６７（Ｃ）が図６７（Ａ）の特性図における水平偏波の特性を示す図である。
【図６８】図６８（Ａ）〜（Ｃ）は、基板部を有する第１８の実施形態に係る電源ケーブルのＵＨＦ帯域のアンテナ特性を示す図である。図６８（Ａ）がＵＨＦ帯域のアンテナ利得特性を示す図である。図６８（Ｂ）が図６８（Ａ）の特性図における垂直偏波の特性を示す図である。図６８（Ｃ）が図６８（Ａ）の特性図における水平偏波の特性を示す図である。
【図６９】図６９は、本第１９の実施形態に係るテレビジョン受像機および電源ケーブルの要部の構成および接続関係を詳細に示す図である。
【図７０】図７０は、本第２０の実施形態に係るテレビジョン受像機および電源ケーブルの要部の構成および接続関係を詳細に示す図である。
【図７１】図７１は、本第２１の実施形態に係るテレビジョン受像機および電源ケーブルの要部の構成および接続関係を詳細に示す図である。
【図７２】図７２は、本第２２の実施形態に係るテレビジョン受像機および電源ケーブルの要部の構成および接続関係を詳細に示す図である。
【図７３】図７３は、本第２３の実施形態に係るテレビジョン受像機および電源ケーブルの要部の構成および接続関係を詳細に示す図である。
【図７４】図７４は、本第２４の実施形態に係るテレビジョン受像機および電源ケーブルの要部の構成および接続関係を詳細に示す図である。
【図７５】図７５は、本第２５の実施形態に係るテレビジョン受像機および電源ケーブルの要部の構成および接続関係を詳細に示す図である。
【手続補正６】
【補正対象書類名】明細書
【補正対象項目名】００４０
【補正方法】変更
【補正の内容】
【００４０】
電源部６は、略矩形形状により形成され、商用電源のコンセントから商用電力を入力する端子８が一面に設けられる。
これにより、電源部６は、図１中に矢印Ａにより示すように、この端子８を屋内コンセントに差し込んで、ＡＣ１００〔Ｖ〕の交流商用電源から５〔Ｖ〕の充電用直流電力（電圧）を生成する。
なお受信システム１は、図１との対比により図２に示すように、充電台１０を介して携帯電話２に電源装置３が接続される場合もある。
【手続補正７】
【補正対象書類名】明細書
【補正対象項目名】００９３
【補正方法】変更
【補正の内容】
【００９３】
図３５の受信システム５１は、携帯電話４２に代えて、第１の実施形態について上述した携帯電話２が適用される点を除いて、第２の実施形態の受信システム４１と同一に構成される。
したがって、受信システム５１では、コールド側芯線ケーブルＬＧを被覆線ＳＳと物理的に分離して携帯電話２の内部で接地する。
【手続補正８】
【補正対象書類名】明細書
【補正対象項目名】０１６０
【補正方法】変更
【補正の内容】
【０１６０】
これに対して、図５３（Ａ）〜図５３（Ｃ）は、この第１０の実施形態に係る電源ケーブル３０４のアンテナ特性の測定結果を示す図である。
図５３（Ａ）がＵＨＦ帯域のアンテナ利得特性を示す図である。図５３（Ｂ）が図５３（Ａ）の特性図における垂直偏波の特性を示す図である。図５３（Ｃ）が図５３（Ａ）の特性図における水平偏波の特性を示す図である。
これら図５３（Ａ）〜図５３（Ｃ）によれば、全周波数帯域で約−５〔ｄＢ〕のアンテナ利得を確保でき、広い周波数帯域で十分な利得により放送波を受信できることが判る。  なお，測定の条件は、図４２（Ａ）〜図４２（Ｃ）に示す測定結果と同一である。
【手続補正９】
【補正対象書類名】明細書
【補正対象項目名】０１９２
【補正方法】変更
【補正の内容】
【０１９２】
また、上述の第１５の実施形態では、インダクタ３１７Ａ、３１７Ｂおよびインダクタ３１８Ａ、３１８Ｂの中継部側端、インダクタ３２２Ａ、３２２Ｂの両端をキャパシタで接続する場合について述べた。
しかしながら、実用上十分な特性を確保できる場合には、キャパシタ、インダクタを省略してもよい。
【手続補正１０】
【補正対象書類名】明細書
【補正対象項目名】０１９６
【補正方法】変更
【補正の内容】
【０１９６】
また、上述の実施形態では、それぞれ好適な構成を説明したが、本発明はこれらの構成に限らず、必要に応じて上述の構成を組み合わせてもよい。
具体的に、たとえば中継部から本体装置側には第１０〜第１４の実施形態を適用し、中継部からプラグ３０９側には第１５の実施形態を適用するようにしてもよい。
【手続補正１１】
【補正対象書類名】明細書
【補正対象項目名】０２２２
【補正方法】変更
【補正の内容】
【０２２２】
この第２２の実施形態では、第１８および第１９の実施形態と同一の効果を得ることができる。
【手続補正１２】
【補正対象書類名】特許請求の範囲
【補正対象項目名】全文
【補正方法】変更
【補正の内容】
【特許請求の範囲】
【請求項１】
本体装置の電力を出力する電源部と、
前記電源部から出力される電力を、本体装置にコネクタを介して供給する電力伝送用ケーブルと、を有し、
前記電力伝送用ケーブルは、
前記コネクタの電源端子との間に配置された本体装置側高周波遮断部と、
前記コネクタから所定長さだけ前記電源部側に配置され、アンテナとして機能する部位の長さを制限する電源部側高周波遮断部と、
前記本体装置側高周波遮断部を介して前記本体装置への電力供給をするための第１伝送線と、
前記コネクタを介して前記本体装置のチューナーに接続される第２伝送線と、
を含む
電源装置。
【請求項２】
前記第２伝送線が、
前記第１伝送線と対になって前記本体装置側高周波遮断部を介して前記電力供給をするための伝送線を兼ねる
請求項１に記載の電源装置。
【請求項３】
前記電力伝送用ケーブルは、
前記第１伝送線としての複数の芯線と、前記複数の芯線を被覆する被覆線と、を有する多芯同軸ケーブルにより形成され、
前記被覆線は、
前記電源部側端が開放端であり、前記第２伝送線として前記チューナーに接続される
請求項１に記載の電源装置。
【請求項４】
前記所定長さが、
前記チューナーで受信する基本周波数の波長に対して１／４波長の奇数倍の長さに設定され、
前記チューナーは、
前記基本周波数の帯域および前記基本周波数の高調波の帯域を受信する
請求項１から３のいずれか一に記載の電源装置。
【請求項５】
前記電源部側の高周波遮断部が、
前記伝送ケーブルにそれぞれインダクタを介挿して形成されている
請求項１から４のいずれか一に記載の電源装置。
【請求項６】
前記電源部側の高周波遮断部が、
フェライトコアに前記電力伝送用ケーブルを挿通して形成されている
請求項１から４のいずれか一に記載の電源装置。
【請求項７】
前記コネクタに、前記アンテナとして機能する部位に誘起された高周波信号を増幅する増幅回路が配置されている
請求項１から６のいずれか一に記載の電源装置。
【請求項８】
電源装置を接続するコネクタを有し、内蔵のチューナーにより所望の放送波を受信する本体装置と、
前記コネクタを介して前記本体装置に接続され、前記本体装置の電力を前記本体装置に供給する前記電源装置と、を有し、
前記電源装置は、
本体装置の電力を出力する電源部と、
一端に配置されたコネクタを介して、前記電源部から出力される電力を本体装置に伝送する電力伝送用ケーブルと、を含み、
前記電力伝送用ケーブルは、
前記コネクタの電源端子を介して本体装置に接続され、前記本体装置の電力を伝送する複数の伝送ケーブルを有し、
前記複数の伝送ケーブルは、
それぞれ対応する前記電源端子との間に、本体装置側の高周波遮断部が配置され、
前記電力伝送用ケーブルは、
前記コネクタから所定長さだけ前記電源部側に、アンテナとして機能する部位の長さを制限する電源部側の高周波遮断部が配置され、
前記伝送ケーブルの少なくとも１つが、前記コネクタを介して前記本体装置のチューナーに接続される
受信装置。
【請求項９】
前記電力伝送用ケーブルは、
前記コネクタの電源端子を介して前記本体装置に接続され、前記本体装置の電力を伝送する複数の芯線ケーブルと、前記芯線ケーブルを被覆する被覆線と、を有する多芯同軸ケーブルにより形成され、
前記芯線ケーブルは、
それぞれ対応する前記電源端子との間に、本体装置側の高周波遮断部が配置され、
前記電力伝送用ケーブルは、
前記コネクタから所定長さだけ前記電源部側に、アンテナとして機能する部位の長さを制限する電源部側の高周波遮断部が設けられ、
前記被覆線は、
前記電源部側の高周波遮断部側端が開放端とされ、前記コネクタを介して前記本体装
置の前記チューナーに接続される
請求項８に記載の受信装置。
【請求項１０】
本体装置と外部装置との間で、電力を伝送する電力伝送用ケーブルと、
前記電力伝送用ケーブルの一端側に配置され、前記電力伝送用ケーブルを前記本体装置に接続する本体装置側コネクタと、
前記電力伝送用ケーブルの他端側に配置され、前記電力伝送用ケーブルを前記外部装置に接続する外部装置側コネクタと、を有し、
前記電力伝送用ケーブルは、
前記本体装置側コネクタの電源端子を介して本体装置に接続され、前記本体装置の電力を伝送する複数の伝送ケーブルを有し、
前記複数の伝送ケーブルは、
それぞれ対応する前記電源端子との間に、本体装置側の高周波遮断部が配置され、
前記電力伝送用ケーブルは、
前記本体装置側のコネクタから所定長さだけ前記外部装置側に、アンテナとして機能する部位の長さを制限する外部装置側の高周波遮断部が配置され、
前記伝送用ケーブルの少なくとも１つが、前記本体装置側のコネクタを介して前記本体装置に内蔵のチューナーのアンテナ入力端に接続される
電源ケーブル。
【請求項１１】
前記電力伝送用ケーブルは、
前記本体装置側のコネクタの電源端子を介して前記本体装置に接続され、前記本体装置の電力を伝送する複数の芯線ケーブルと、前記芯線ケーブルを被覆する被覆線とを有する多芯同軸ケーブルにより形成され、
前記芯線ケーブルは、
それぞれ対応する前記電源端子との間に、本体装置側の高周波遮断部が配置され、
前記電力伝送用ケーブルは、
前記本体装置側のコネクタから所定長さだけ前記外部装置側に、アンテナとして機能する部位の長さを制限する外部装置側の高周波遮断部が配置され、
前記被覆線は、
前記外部装置側の高周波遮断部側端が開放端とされ、前記本体装置側のコネクタを介して前記本体装置に内蔵のチューナーに接続される
請求項１０記載の電源ケーブル。
【請求項１２】
電力を供給する電源ケーブルと、
放送波を受信する内蔵のチューナーと、を有し、
前記電源ケーブルは、
前記電力を伝送する複数の伝送ケーブルを含む電力伝送用ケーブルを有し、
前記電力伝送用ケーブルに含まれる前記伝送ケーブルの少なくとも１つは、
途中の中継部で、第１の部位と、第２の部位とに高周波的に分離され、
前記第１の部位の前記中継部側とは逆側、および前記第２の部位の前記中継部側とは逆側が高周波的に他の部位と絶縁され、
前記第１の部位の前記中継部側、および前記第２の部位の前記中継部側の少なくとも１つが、同軸ケーブルまたは平行線ケーブルを介して前記チューナーに接続される
受信装置。
【請求項１３】
前記電力伝送用ケーブルは、
前記第１の部位の前記中継部側とは逆側、および前記第２の部位の前記中継部側とは逆側に、高周波信号を抑圧するインダクタが配置され、
前記インダクタにより、前記第１の部位の前記中継部側とは逆側、および前記第２の部位の前記中継部側とは逆側が高周波的に他の部位と絶縁されている
請求項１２に記載の受信装置。
【請求項１４】
前記電力伝送用ケーブルは、
前記中継部に、高周波信号を抑圧するインダクタが配置され、
前記インダクタにより、第１の部位と、第２の部位とに高周波的に分離される
請求項１２に記載の受信装置。
【請求項１５】
前記第１の部位の前記中継部側、および前記第２の部位の前記中継部側の少なくとも１つが、バランを介して前記同軸ケーブルまたは平行線ケーブルに接続されている
請求項１２から１４のいずれか一に記載の受信装置。
【請求項１６】
電力を供給する電源ケーブルと、
放送波を受信する内蔵のチューナーと、を有し、
前記電源ケーブルは、
前記電力を伝送する複数の芯線ケーブルと、前記複数の芯線ケーブルを被覆する被覆線とを含む電力伝送用ケーブルを有し、
前記被覆線は、
前記電力伝送用ケーブルの途中の中継部で、第１の部位と、第２の部位とに分離され、
前記第１の部位の前記中継部側とは逆側、および前記第２の部位の前記中継部側とは逆側が開放端に設定され、
前記第１の部位の前記中継部側、および前記第２の部位の前記中継部側の少なくとも１つが、同軸ケーブルまたは平行線ケーブルを介して前記チューナーに接続される
受信装置。
【請求項１７】
前記電力伝送用ケーブルは、
前記第１の部位の前記中継部側とは逆側、および前記第２の部位の前記中継部側とは逆側に、前記芯線ケーブルの高周波信号を抑圧するインダクタが配置されている
請求項１６に記載の受信装置。
【請求項１８】
前記電力伝送用ケーブルは、
前記中継部に、前記芯線ケーブルの高周波信号を抑圧するインダクタが配置されている
請求項１６に記載の受信装置。
【請求項１９】
前記被覆線が、バランを介して前記同軸ケーブルまたは平行線ケーブルに接続されている
請求項１６から１８のいずれか一に記載の受信装置。
【請求項２０】
前記インダクタが、
前記電力伝送用ケーブルを挿通するフェライトコアにより形成された
請求項１３、１４、１５、１７，１８、または１９に記載の受信装置。
【請求項２１】
前記被覆線は、
前記第１の部位と、前記第２の部位とが、異なる長さに設定された
請求項１２から２０のいずれか一に記載の受信装置。
【請求項２２】
電力を供給する電源ケーブルと、
放送波を受信する内蔵のチューナーと、を有し、
前記電源ケーブルは、
前記電力を伝送する第１のケーブルおよび第２のケーブルを含み、
前記第１のケーブルおよび第２のケーブルの少なくとも１つは、
途中の中継部で、第１の部位と第２の部位とに高周波的に分離され、
前記第１の部位の前記中継部側、および前記第２の部位の前記中継部側の少なくとも１つが、同軸ケーブルまたは平行線ケーブルを介して前記チューナーに接続される
受信装置。
【請求項２３】
本体装置に電力を伝送する複数の伝送ケーブルを含む電力伝送用ケーブルを有し、
前記電力伝送用ケーブルに含まれる複数の伝送ケーブルの少なくとも１つは、
途中の中継部で、第１の部位と、第２の部位とに高周波的に分離され、
前記第１の部位の前記中継部側とは逆側、および前記第２の部位の前記中継部側とは逆側が高周波的に他の部位と絶縁され、
前記第１の部位の前記中継部側、および前記第２の部位の前記中継部側の少なくとも１つが、同軸ケーブルまたは平行線ケーブルを介して前記本体装置のチューナーに接続される
電源ケーブル。
【請求項２４】
本体装置に電力を伝送する複数の芯線ケーブルと、前記複数の芯線ケーブルを被覆する被覆線とを含む電力伝送用ケーブルを有し、
前記被覆線は、
前記電力伝送用ケーブルの途中の中継部で、第１の部位と、前記第２の部位とに分離され、
前記第１の部位の前記中継部側とは逆側、および前記第２の部位の前記中継部側とは逆側が開放端に形成され、
前記第１の部位の前記中継部側、および前記第２の部位の前記中継部側の少なくとも１つが、同軸ケーブルまたは平行線ケーブルを介して前記本体装置のチューナーに接続される
電源ケーブル。
【請求項２５】
本体装置に電力を伝送する第１および第２のケーブルを有し、
第１および第２のケーブルの少なくとも１つは、
途中の中継部で、第１の部位と第２の部位とに高周波的に分離され、
前記第１の部位の前記中継部側、および前記第２の部位の前記中継部側の少なくとも１つが、同軸ケーブルまたは平行線ケーブルを介して前記本体装置のチューナーに接続される
電源ケーブル。
【請求項２６】
本体装置の電力を生成する電源部と、
前記電源部の電力を前記本体装置に伝送する複数の伝送ケーブルを含む電力伝送用ケーブルと、を有し、
前記電力伝送用ケーブルに含まれる複数のケーブルの少なくとも１つは、
途中の中継部で、第１の部位と、第２の部位とに高周波的に分離され、
前記第１の部位の前記中継部側とは逆側、および前記第２の部位の前記中継部側とは逆側が高周波的に他の部位と絶縁され、
前記第１の部位の前記中継部側、および前記第２の部位の前記中継部側の少なくとも１つが、同軸ケーブルまたは平行線ケーブルを介して前記本体装置のチューナーに接続される
電源装置。
【請求項２７】
本体装置の電力を生成する電源部と、
前記電源部の電力源を前記本体装置に伝送する複数の芯線ケーブルと、前記複数の芯線ケーブルを被覆する被覆線とを含む電力伝送用ケーブルを有し、
前記被覆線は、
前記電力伝送用ケーブルの途中の中継部で、第１の部位と、第２の部位とに分離され、  前記第１の部位の前記中継部側とは逆側、および前記第２の部位の前記中継部側とは逆側が開放端に形成され、
前記第１の部位の前記中継部側、および前記第２の部位の前記中継部側の少なくとも１つが、同軸ケーブルまたは平行線ケーブルを介して前記本体装置のチューナーに接続される
電源装置。
【請求項２８】
本体装置の電力を生成する電源部と、
前記電源部の電力を前記本体装置に伝送する第１のケーブルおよび第２のケーブルを有し、
第１のケーブルおよび第２のケーブルの少なくとも１つは、
途中の中継部で、第１の部位と第２の部位とに高周波的に分離され、
前記第１の部位の前記中継部側、および前記第２の部位の前記中継部側の少なくとも１つが、同軸ケーブルまたは平行線ケーブルを介して前記本体装置のチューナーに接続される
電源装置。
【請求項２９】
本体装置に電力を伝送する複数の伝送ケーブルを含む電力伝送用ケーブルと、
前記電力伝送用ケーブルの中間部において、前記複数の伝送ケーブルを固定するように配置された基板部と、を有し、
前記基板部は、
前記伝送ケーブルに高周波遮断部が配置され、
前記高周波遮断部で高周波的に遮断された前記伝送ケーブルの一つが、ダイポールアンテナを形成するように同軸ケーブルまたは平行線ケーブルを介して前記本体装置のチューナーに接続される
電源ケーブル。
【請求項３０】
前記基板部は、
前記基板の長さが使用周波数のλ／２以上の長さを有する
請求項２９記載の電源ケーブル。
【請求項３１】
前記基板部は、
基板実装されたバランを介して前記同軸ケーブルまたは平行線ケーブルに接続されている
請求項２９または３０記載の電源ケーブル。
【請求項３２】
前記基板部は、
アンテナとして使用される帯域のλ／４の長さおきに前記高周波遮断部が配置されている
請求項２９から３１のいずれか一に記載の電源ケーブル。
【請求項３３】
本体装置の電力を生成する電源部と、
前記電源部の電力を前記本体装置に伝送する複数の伝送ケーブルを含む電力伝送用ケーブルと、
前記電力伝送用ケーブルの中間部において、前記複数の伝送ケーブルを固定するように配置された基板部と、を有し、
前記基板部は、
前記伝送ケーブルに高周波遮断部が配置され、
前記高周波遮断部で高周波的に遮断された前記伝送ケーブルの一つが、ダイポールアンテナを形成するように同軸ケーブルまたは平行線ケーブルを介して前記本体装置のチューナーに接続される
電源装置。
【請求項３４】
電力を供給する電源ケーブルと、
放送波を受信する内蔵のチューナーと、を有し、
前記電源ケーブルは、
前記電源部の電力を前記本体装置に伝送する複数の伝送ケーブルを含む電力伝送用ケーブルと、
前記電力伝送用ケーブルの中間部において、前記複数の伝送ケーブルを固定するように配置された基板部と、を有し、
前記基板部は、
前記伝送ケーブルに高周波遮断部が配置され、
前記高周波遮断部で高周波的に遮断された前記伝送ケーブルの一つが、ダイポールアンテナを形成するように同軸ケーブルまたは平行線ケーブルを介して前記本体装置のチューナーに接続される
受信装置。
【手続補正１３】
【補正対象書類名】図面
【補正対象項目名】図５８
【補正方法】変更
【補正の内容】
【図５８】
2010157991.tif 000001
【手続補正１４】
【補正対象書類名】図面
【補正対象項目名】図７５
【補正方法】変更
【補正の内容】
【図７５】
2010157991.tif 000002